(57)【要約】【課題】  本発明は、意匠性、防水性、コスト性、防耐火性が優れるとともに、簡単な構成で交換が容易な天井材設置部材を提供する。【解決手段】  軒天材４の端部４ａの上下面を挟み込む、略コ字状の挟み込み部２ａを有する第１部材２と、第１部材２と分離可能に連結される第２部材３からなり、第１部材２と第２部材３は連結された状態で軒天材４が張られる軒に取り付けられ、挟み込み部２ａは、第１部材２と第２部材３を連結した状態では、軒天材４の端部４ａと第２部材３との間に存在することで軒天材４の端部４ａから離れないように拘束され、第１部材２と第２部材３を分離すると、挟み込み部２ａは軒天材４の端部４ａから離れる方向に移動可能となることで、第１部材２を軒天材４の端部４ａから外せるようにしたことを特徴とする。【選択図】      図２
2019148133.tif 000002
【特許請求の範囲】
【請求項１】
天井材端部の上下面を挟み込む、略コ字状の挟み込み部を有する第１部材と、
前記第１部材と分離可能に連結される第２部材からなり、
前記第１部材と前記第２部材は連結された状態で前記天井材が張られる天井に取り付けられ、
前記挟み込み部は、前記第１部材と前記第２部材を連結した状態では、前記天井材端部と前記第２部材との間に存在することで前記天井材端部から離れないように拘束され、
前記第１部材と前記第２部材を分離すると、前記挟み込み部は前記天井材端部から離れる方向に移動可能となることで、前記第１部材を前記天井材端部から外せるようにしたことを特徴とする天井材設置部材。
【発明の詳細な説明】
【技術分野】
【０００１】
本発明は、建物の外壁よりも外に向かって張り出した軒、キャンティバルコニー、玄関ポーチ等外壁のオーバーハング部下の天井に設置する見切り材や通気材などの天井材設置部材に関するものである。
【背景技術】
【０００２】
例えば、特許文献１のように、軒天見切りを容易にかつ安定的に設置できるようにするため、軒天材の上下面を挟み込む構成にする場合がある。
【０００３】
また、特許文献２のように、軒天通気部材を容易に取り外すことを意図し、軒天材を挟み込まない構成にする場合がある。また、特許文献３によれば、軒天材の受け金具を見切り材の先端にかけることで、安定的に見切りを設置でき、また軒天材を外すことなく見切り材を外すことができるが、受け金具と見切り材は別々に施工する必要がある。
【先行技術文献】
【特許文献】
【０００４】
【特許文献１】特開平７−４２２９９号公報
【特許文献２】特開２００５−２５６４４４号公報
【特許文献３】特開２００７−２９７８２９号公報
【発明の概要】
【発明が解決しようとする課題】
【０００５】
特許文献１のように、軒天設置部材により軒天材の上下面を挟み込む構成にすることは、次の点で好適である。（１）安定して設置でき、軒天材と軒天設置部材との隙間を生じ難くすることができるので防水性向上に繋がり、また意匠が良好である。（２）比較的熱膨張性が大きい樹脂、アルミは寒い時期に施工した場合、夏期の熱延びが大きくなるが、軒天材を挟み込む構成にすることにより軒天設置部材の剛性が高まり、熱伸びの影響が外観に生じ難い。（３）防耐火対応にする場合、軒天設置部材は融点が高く、かつ加工性に優れるスチール、ステンレスにすることが好適である。建築基準法に基づく準耐火試験では、加熱時間に応じて最高で８４２℃〜９４５℃の加熱条件になる。高温になる程、熱延びは大きくなり、これに伴いスチール、ステンレスの変形が大きくなるが、軒天材を挟み込む構成にすることで、軒天材との間の隙間が生じ難くすることができ、小屋裏内部の温度上昇を軽減できる。しかしながら軒天材を挟み込む構成にすると、軒天材を外さないと軒天設置部材の交換がし難く、保守が大がかりとなる。すなわち軒裏部分は、雨に洗い流され難く、汚れが付着し易い。海辺では、錆の発生の懸念がある。美観、機能を保持し、また建物の長寿命化を図るため、容易に交換できるようにすることが好ましい。特許文献２は、取り外しの点で好適である一方、上述した諸点につき不利となる。
【０００６】
本発明は前記課題を解決するものであり、その目的とするところは、意匠性、防水性、コスト性、防耐火性が優れるとともに、簡単な構成で交換が容易な天井材設置部材を提供するものである。
【課題を解決するための手段】
【０００７】
前記目的を達成するための本発明に係る天井材設置部材は、天井材端部の上下面を挟み込む、略コ字状の挟み込み部を有する第１部材と、前記第１部材と分離可能に連結される第２部材からなり、前記第１部材と前記第２部材は連結された状態で前記天井材が張られる天井に取り付けられ、前記挟み込み部は、前記第１部材と前記第２部材を連結した状態では、前記天井材端部と前記第２部材との間に存在することで前記天井材端部から離れないように拘束され、前記第１部材と前記第２部材を分離すると、前記挟み込み部は前記天井材端部から離れる方向に移動可能となることで、前記第１部材を前記天井材端部から外せるようにしたことを特徴とする。
【発明の効果】
【０００８】
本発明によれば、意匠性、防水性、コスト性、防耐火性が優れるとともに、簡単な構成で交換が容易な天井材設置部材を提供することが出来る。
【図面の簡単な説明】
【０００９】
【図１】本発明に係る天井材設置部材としての軒天設置部材を軒に設置した構造を示す断面説明図である。
【図２】（ａ）は、軒天設置部材の第２部材を野縁から取り外した様子を示す断面説明図である。（ｂ）は、軒天設置部材の第１部材の挟み込み部を軒天井板の端部から取り外した様子を示す断面説明図である。
【図３】軒天設置部材の第１部材と第２部材を連結した様子を示す斜視説明図である。
【発明を実施するための形態】
【００１０】
図により本発明に係る天井材設置部材としての軒天設置部材の一実施形態を具体的に説明する。
【００１１】
本発明に係る天井材設置部材は、建物の外壁よりも外に向かって張り出した「軒」、「キャンティバルコニー」、「玄関ポーチ」等外壁のオーバーハング部下に設けられる天井に天井材を設置する天井材設置部材であり、その一例として、軒天材が張られる軒に軒天材を設置する軒天設置部材１の一例について説明する。
【００１２】
図１〜図３に示すように、本発明に係る天井材設置部材としての軒天設置部材１は、天井材としての軒天材４の端部４ａ（天井材端部）の上下面を挟み込む、略コ字状の挟み込み部２ａを有する第１部材２と、第１部材２と分離可能に連結される第２部材３からなり、第１部材２と第２部材３は連結された状態で軒天材４（天井材）が張られる軒（天井）に取り付けられ、挟み込み部２ａは、第１部材２と第２部材３を連結した状態では、軒天材４（天井材）の端部４ａと第２部材３との間に存在することで、軒天材４（天井材）の端部４ａから離れないように拘束され、第１部材２と第２部材３を分離すると、挟み込み部２ａは、軒天材４（天井材）の端部４ａから離れる方向に移動可能となることで、第１部材２を軒天材４（天井材）の端部４ａから外せるように構成される。
【００１３】
図１に示すように、第１部材２と第２部材３のそれぞれに設けられた固定片２ｂ，３ｂ（固定部）が野縁５の下面５ａに固定される。第１部材２の固定片２ｂには、固定片２ｂをバーリング加工により固定片２ｂを貫通するバーリング孔２ｂ１が設けられる。バーリング孔２ｂ１の円筒状の内壁面には、タッピングにより雌ネジが形成される。第２部材３の固定片３ｂには、第１部材２の固定片２ｂのバーリング孔２ｂ１に対応する位置に貫通孔３ｂ１が設けられている。図３に示すように、第２部材３の固定片３ｂの下方から貫通孔３ｂ１に小ネジ６（連結部材）を挿通し、第１部材２の固定片２ｂのバーリング孔２ｂ１の円筒状の内壁面に形成された雌ネジに螺合締結することで、第１部材２と第２部材３とが分離可能に連結される。
【００１４】
第１部材２と第２部材３の固定片２ｂ，３ｂには、それぞれ他の貫通孔２ｂ２，３ｂ２が設けられている。図３に示すように、第２部材３の固定片３ｂの下方から貫通孔３ｂ２及び第１部材２の固定片２ｂに設けられた貫通孔２ｂ２に固定ビス７（固定部材）を挿通し、野縁５の下面５ａに固定することができる。
【００１５】
＜第１部材＞
図１及び図３に示すように、第１部材２の固定片２ｂから下方に向かって折り曲げられた換気片２ｃ（換気部）が設けられている。換気片２ｃには、換気片２ｃを貫通する複数の換気穴２ｃ１が設けられている。更に、換気片２ｃから軒天材４に向かって折り曲げられた底片２ｄ（底部）が設けられている。更に、底片２ｄから野縁５に向かって上方に折り曲げられた起立片２ｅ（起立部）が設けられている。更に、起立片２ｅから軒天材４の下面４ｃに平行に折り曲げられた下面対向片２ｆ（下面対向部）が設けられている。更に、下面対向片２ｆから軒天材４の小口面４ｄに平行に折り曲げられた小口対向片２ｇ（小口対向部）が設けられている。小口対向片２ｇには、小口対向片２ｇの一部を切り欠いて軒天材４の上面４ｂに平行に折り曲げられた上面対向片２ｇ１（上面対向部）が設けられている。軒天材４の端部４ａは、下面対向片２ｆと小口対向片２ｇと上面対向片２ｇ１とにより形成される略コ字状の挟み込み部２ａ内に嵌入されて納まる。
【００１６】
更に、小口対向片２ｇから鼻隠し下地材８に向かって折り曲げられた水返し片２ｈ（水返し部）が設けられている。水返し片２ｈは、外部から換気片２ｃの換気穴２ｃ１を介して、雨水が軒裏空間９内に吹き込むのを軽減する。また、水返し片２ｈは、外部から換気片２ｃの換気穴２ｃ１を介して、火熱が軒裏空間９内に吹き込むのを軽減し、軒裏空間９内部の温度上昇を軽減する。また、水返し片２ｈは、外部から換気片２ｃの換気穴２ｃ１を介して、軒裏空間９内部を見え難くする。
【００１７】
軒天下地である野縁５は、一般に軒の幅方向に間隔を置いて設置される。小口対向片２ｇと水返し片２ｈの野縁５と取り合う箇所には、野縁５の外形に対応する切欠き部２ｉが設けられている。前記、上面対向片２ｇ１は野縁５が存在しない位置に設けることで、軒天材４にスムーズに挿入かつ取り外しができる。尚、変形例として、小口対向片２ｇの一部を切り欠いて軒天材４の上面４ｂに平行に折り曲げられた上面対向片２ｇ１の代わりに、小口対向片２ｇの全体を軒天材４の小口面４ｄの上端部から軒天材４の上面４ｂに平行に折り曲げて上面対向片とすることもできる。そして、軒天材４の端部４ａを下面対向片２ｆと小口対向片２ｇと上面対向片とにより形成される略コ字状の挟み込み部内に嵌入し挟み込むことにより軒天材４の端部４ａを第１部材２に支持するようにしても良い。この場合は、水返し片２ｈは、省略される。
【００１８】
＜第２部材＞
第２部材３の固定片３ｂから下方に向かって折り曲げられた垂下片３ｃ（垂下部）が設けられている。更に、垂下片３ｃから鼻隠し材１０に向かって折り曲げられた底片３ｄ（底部）が設けられている。更に、底片３ｄから上方に向かって折り曲げられた換気片３ｅ（換気部）が設けられている。換気片３ｅには、換気片３ｅを貫通する複数の換気穴３ｅ１が設けられている。更に、換気片３ｅから鼻隠し材１０に向かって折り曲げられ、鼻隠し材１０に当接する位置で折り返され、鼻隠し下地材８の下面８ａに当接する折り返し片３ｆが設けられている。折り返し片３ｆの先端部には、下方に向かって折り曲げられた水返し片３ｇ（水返し部）が設けられている。水返し片３ｆは、外部から換気片３ｅの換気穴３ｅ１を介して、雨水が軒裏空間９内に吹き込むのを軽減する。尚、変形例として、折り返し片３ｆの先端部に設けられた水返し片３ｇを省略することもできる。
【００１９】
第１部材２の換気片２ｃに設けられた換気穴２ｃ１と、第２部材３の換気片３ｅに設けられた換気穴３ｅ１とは、抜き加工、ブリッジ加工、ルーバー加工等により形成することができる。ブリッジ加工とは、穴を開けたいところにブリッジ状のリブが通っているものである。ルーバー加工とは、穴を開けたいところにルーバー（出窓）状の笠が設けられているものである。また、第１、第２部材２，３において垂下する各片は、目隠し・水返し機能を有する。
【００２０】
＜軒天設置部材の取り付け＞
軒天設置部材１を野縁５に取り付ける場合には、先ず、図３に示すように、第２部材３の固定片３ｂの上に第１部材２の固定片２ｂを重ねた状態で、固定片３ｂの下方から小ネジ６用の貫通孔３ｂ１内に小ネジ６を挿通し、固定片２ｂに設けられたバーリング孔２ｂ１の円筒状の内壁面に形成された雌ネジに小ネジ６を螺合締結して第１部材２と第２部材３とを一体化する。その後、第１部材２の挟み込み部２ａに軒天材４の端部４ａを挿入して嵌合させて挟み込んだ状態で、軒天設置部材１の第１部材２の固定片２ｂと軒天材４とを野縁５の下面５ａに当接すると共に、第２部材３の折り返し片３ｆを鼻隠し下地材８の下面８ａに当接する。そして、第２部材３の固定片３ｂの下方から固定ビス７用の貫通孔３ｂ２と、第１部材２の固定片２ｂの固定ビス７用の貫通孔２ｂ２に固定ビス７を挿通し、野縁５の下面５ａにビス止めする。
【００２１】
＜軒天設置部材の取り外し＞
軒天設置部材１を野縁５から取り外す場合には、図２（ａ）に示すように、固定ビス７を取り外した後、第１部材２と第２部材３の固定片２ｂ，３ｂを連結していた小ネジ６を取り外す。この状態で第２部材３を下方に向かって取り外すことができる。図２（ｂ）に示すように、第２部材３を取り外した後は、第１部材２を図２（ｂ）の左側に引き抜くスペースができている。これにより第１部材２を図２（ｂ）の左側に引き抜くことで、第１部材２の挟み込み部２ａを軒天材４の端部４ａから取り外すことができる。軒天設置部材１の第１部材２と第２部材３とが分離する構成であるため軒天材４を取り外すことなく軒天設置部材１の交換ができる。
【００２２】
＜軒天設置部材の再取り付け＞
交換する軒天設置部材１を再度、野縁５に取り付ける場合には、図２（ｂ）に示すように、野縁５の下面５ａに支持されている軒天材４の端部４ａに第１部材２の挟み込み部２ａを嵌合して挟み込んだ状態で、図２（ａ）に示すように、第２部材３を上方に向かって挿入する。そして、第１部材２の固定片２ｂの下に第２部材３の固定片３ｂを重ねた状態で第２部材３の固定片３ｂの下方から固定ビス７用の貫通孔３ｂ２と、第１部材２の固定片２ｂの固定ビス７用の貫通孔２ｂ２に固定ビス７を挿通し、野縁５の下面５ａに第１部材２と第２部材３とをビス止めするか、小ネジ６により第１部材２と第２部材３の固定片２ｂ，３ｂを締結して、第１部材２と第２部材３が連結される。
【００２３】
軒天設置部材１の第１部材２の挟み込み部２ａにより軒天材４の端部４ａをくわえ込む構成であるため軒天材４と軒天設置部材１との隙間が生じ難い。これにより防水性能が向上する。また、意匠性が良好である。また、火熱の影響により各部材が熱膨張しても隙間が生じ難い。これにより軒裏空間９内部の温度上昇を軽減することができる。また、軒天材４の端部４ａをくわえ込む構成であっても軒天設置部材１を容易に交換できる。尚、図中、１１は屋根、１２はたるきである。
【００２４】
また、本発明は、前記実施形態に限定されるものではなく、第１部材、第２部材の形状、連結部分など、適宜設計変更できるものである。本実施形態では第１部材と第２部材とに固定片を設け、これらを重ねて連結部分を設けたが、例えば第２部材を延長し、第１部材の底部、起立部に連結部分を設ける構成としても良く、逆に第１部材を延長し、第２部材の底部、起立部に連結することでも良い。また第１部材、第２部材の両方から換気できるような構成について例示したが、一方の換気を省略し、あるいは両方の換気を省略しても良い。前記実施形態では、第１部材２の板厚が薄い場合に、第１部材２の固定片２ｂをバーリング加工により固定片２ｂを貫通するバーリング孔２ｂ１を設けた一例であるが、第１部材２の板厚が厚い場合には、バーリング孔２ｂ１の代わりに、第１部材２の固定片２ｂをタップ加工しても良い。また、第１部材２の固定片２ｂにナットをかしめることでも良い。
【００２５】
尚、図１〜図３では、鼻隠し側に設けられた軒天設置部材１の一例について説明したが、特許文献１のように、建物の壁側に設けられる軒天設置部材１、及び特許文献２のように軒の中間に設ける軒天設置部材１にも同様な構成で適用することができる。すなわち、第２部材は、前者の場合は、第１部材と壁面との空隙を覆える形状にし、後者の場合は第１部材と第１部材側とは反対側に設置された軒天材端部との空隙を覆える形状にし、第２部材を外した時に第１部材が軒天材を挟み込んだ側から離れる方向に移動できるような構成にすることで、同様の作用効果を奏する。
【産業上の利用可能性】
【００２６】
本発明の活用例として、建物の外壁よりも外に向かって張り出した軒、キャンティバルコニー、玄関ポーチ等外壁のオーバーハング部下の天井に設置する見切り材や通気材などの天井材設置部材に適用可能である。
【符号の説明】
【００２７】
１…軒天設置部材（天井材設置部材）
２…第１部材
２ａ…挟み込み部
２ｂ…固定片
２ｂ１…バーリング孔
２ｂ２…固定ビス７用の貫通孔
２ｃ…換気片
２ｃ１…換気穴
２ｄ…底片
２ｅ…起立片
２ｆ…下面対向片
２ｇ…小口対向片
２ｇ１…上面対向片
２ｈ…水返し片
２ｉ…切欠き部
３…第２部材
３ａ…挟み込み部
３ｂ…固定片
３ｂ１…小ネジ６用の貫通孔
３ｂ２…固定ビス７用の貫通孔
３ｃ…垂下片
３ｄ…底片
３ｅ…換気片
３ｅ１…換気穴
３ｆ…折り返し片
３ｇ…水返し片
４…軒天材（天井材）
４ａ…端部
４ｂ…上面
４ｃ…下面
４ｄ…小口面
５…野縁
５ａ…下面
６…小ネジ
７…固定ビス
８…鼻隠し下地材
９…軒裏空間
１０…鼻隠し材
１１…屋根
１２…たるき
【図１】
2019148133.tif 000003
【図２】
2019148133.tif 000004
【図３】
2019148133.tif 000005